(57)【要約】【課題】撮像または撮影機器とアクセサリ機器との間の電気的導通の信頼性を向上させることができるアクセサリ機器を提供する。【解決手段】撮像または撮影機器に予め設けられている一つの電気的接点にそれぞれが接触できるように複数の接続部材１５−１、１５−２を配置するとともに、その複数の接続部材１５−１、１５−２間を電気的に導通させる導電性の弾性部材１６を、その複数の接続部材１５−１、１５−２に装着させて、その導電性の弾性部材１６の弾性範囲内で、複数の接続部材１５−１、１５−２のそれぞれが、撮像または撮影機器の電気的接点に対して独立して接近および離間できるようにする。【選択図】図５
2014115351.tif 000002
【特許請求の範囲】
【請求項１】
撮像または撮影機器に装着されるアクセサリ機器であって、
撮像または撮影機器に予め設けられている一つの電気的接点にそれぞれが接触できるように配置された複数の接続部材と、
前記複数の接続部材に装着されて、前記複数の接続部材間を電気的に導通させる導電性の弾性部材と、
を備え、前記導電性の弾性部材の弾性範囲内で、前記複数の接続部材のそれぞれが前記電気的接点に対して独立して接近および離間できることを特徴とするアクセサリ機器。
【請求項２】
前記複数の接続部材の内の少なくとも一つの接続部材に、前記複数の接続部材間を電気的に導通させる凸部を備え、
前記複数の接続部材が前記凸部において互いに接触し、前記凸部以外の箇所において互いに離れている
ことを特徴とする請求項１記載のアクセサリ機器。
【請求項３】
前記導電性の弾性部材に係止して、前記電気的接点に向けて前記複数の接続部材を付勢する付勢部材をさらに備えることを特徴とする請求項１または２に記載のアクセサリ機器。
【請求項４】
前記複数の接続部材が、前記付勢部材に挿通されていることを特徴とする請求項３記載のアクセサリ機器。
【請求項５】
前記複数の接続部材の内の一つの接続部材のみに、内部回路に電気的に接続する信号伝達媒体が固定されていることを特徴とする請求項１ないし４のいずれかに記載のアクセサリ機器。
【請求項６】
前記信号伝達媒体が固定される接続部材が、他の接続部材より長いことを特徴とする請求項５記載のアクセサリ機器。
【請求項７】
前記複数の接続部材の組を複数組備え、前記複数の接続部材の各組が、撮像または撮影機器に予め設けられている複数の電気的接点にそれぞれ対応して設けられて、各組の前記複数の接続部材が、対応する電気的接点にそれぞれ接触できるように配置されていることを特徴とする請求項１ないし６のいずれかに記載のアクセサリ機器。
【発明の詳細な説明】
【技術分野】
【０００１】
本発明は、例えばカメラ等の撮像または撮影機器のアクセサリシューに装着されるストロボ装置や電子ビューファインダー等のアクセサリ機器に関し、特に撮像または撮影機器とアクセサリ機器との間を電気的に接続するための端子構造に関する。
【背景技術】
【０００２】
従来より、撮像または撮影機器に着脱可能に取り付けられるアクセサリ機器として、例えばカメラに取り付け可能なストロボ装置や電子ビューファインダー、ＧＰＳユニット等が知られている。また、従来より、撮像または撮影機器とアクセサリ機器との間で電気信号の伝達を行うために、撮像または撮影機器のアクセサリシューには電気的接点が設けられており、アクセサリ機器のシューには、撮像または撮影機器の電気的接点に対応する接続端子が設けられている。
【０００３】
ところで、アクセサリ機器は、撮像または撮影機器に常時取り付けられていることは少なく、撮像または撮影時に撮像または撮影機器に取り付けられることが多い。このため、撮像または撮影機器の電気的接点や、その電気的接点に接触するアクセサリ機器の接続端子の接触部（電気的接点）に、酸化膜が形成されたり、人の皮脂が付着するなどして、撮像または撮影機器とアクセサリ機器との間に電気的な接続不良が起こることがある。
【０００４】
そこで、従来より、撮像または撮影機器とアクセサリ機器との間に電気的な接続不良（導通不良）を発生させる酸化膜等を除去できるアクセサリ機器が提案されている。例えば、特許文献１には、カメラのアクセサリシューにストロボ装置を装着する際に、ストロボ装置の接続端子をカメラの電気的接点に当接させたまま摺動させることにより、ストロボ装置の接続端子やカメラの電気的接点に形成されている酸化膜や、そこに付着した皮脂などの汚れを除去するストロボ装置が提案されている。
【０００５】
図６に、特許文献１に開示されているストロボ装置のシューの構造を示す。このストロボ装置のシュー６１に設けられている接続端子６２は、端子ばね６３によって常に付勢されており、その接続端子６２の先端部（接触部）６２ａは、ストロボ装置をカメラに係止するためのシュー金具６４から常に突出している。したがって、接続端子６２の先端部６２ａは、カメラのアクセサリシュー６５に設けられている図示しない結合金具にストロボ装置のシュー金具６４がスライド嵌合した時点で、そのアクセサリシュー６５に設けられている電気的接点６６に接触（当接）する。また、このストロボ装置のシュー６１には、固定リング６７が設けられている。その固定リング６７は、カメラのアクセサリシュー６５に設けられている図示しない結合金具にストロボ装置のシュー金具６４がスライド嵌合した時点では、カメラに接触しない初期位置にあり、回転することによりカメラ側へ移動して、カメラを押圧する。したがって、このストロボ装置のシュー６１は、固定リング６７によってカメラに確実に固定されるようになっている。
【０００６】
さらに、図６に示すストロボ装置のシュー６１は、カメラのアクセサリシュー６５に設けられている図示しない結合金具にシュー金具６４がスライド嵌合した後、固定リング６７が回転する際に、固定リング６７に形成されている横カム部６７ａによって付勢ピン６８が一度付勢されて、その付勢ピン６８が付勢される方向へ、接続端子６２が、アクセサリシュー６５に設けられている電気的接点６６に当接したまま摺動し、その後、横カム部６７ａによる付勢ピン６８の付勢が解除されて、接続端子６２が、付勢ばね６９が付勢する方向へ、アクセサリシュー６５の電気的接点６６に当接したまま摺動して元の位置へ戻る構造となっており、このように接続端子６２がアクセサリシュー６５の電気的接点６６に当接したまま摺動することにより、接続端子６２の先端部６２ａやカメラの電気的接点６６に形成されている酸化膜や、そこに付着した皮脂等の汚れを除去することが可能となる。
【０００７】
しかしながら、撮像または撮影機器の電気的接点や、その電気的接点に接触するアクセサリ機器の接続端子の接触部には、酸化膜が形成されたり、人の皮脂が付着するだけではなく、ゴミ等の異物が付着することがある。このようなゴミ等の異物が、アクセサリ機器を撮像または撮影機器に装着する際に、撮像または撮影機器の電気的接点とアクセサリ機器の接続端子との間に挟まると、撮像または撮影機器とアクセサリ機器との間の電気的接続が不安定となり、撮像または撮影機器やアクセサリ機器が誤動作するおそれがある。
【０００８】
図７は、撮像または撮影機器のアクセサリシュー７１に設けられた電気的接点７２とアクセサリ機器の接続端子７３との間に異物７４が挟まっている様子を示している。図７に示すように、撮像または撮影機器の電気的接点７２とアクセサリ機器の接続端子７３との間に異物７４が挟まり、異物７４に接続端子７３が乗り上げると、撮像または撮影機器の電気的接点７２とアクセサリ機器の接続端子７３との間に電気的な接続不良（導通不良）が起こる。
【０００９】
このように撮像または撮影機器の電気的接点とアクセサリ機器の接続端子との間に噛みこまれたゴミ等の異物は、特許文献１に開示されているように、アクセサリ機器の接続端子６２の接触部６２ａを、撮像または撮影機器の電気的接点６６に当接させたまま摺動させるだけでは、除去できないおそれがある。
【先行技術文献】
【特許文献】
【００１０】
【特許文献１】特開２０１１−００２６８１号公報
【発明の概要】
【発明が解決しようとする課題】
【００１１】
本発明は、撮像または撮影機器とアクセサリ機器との間の電気的導通の信頼性を向上させることができるアクセサリ機器を提供することを目的とする。
【課題を解決するための手段】
【００１２】
本発明のアクセサリ機器は、撮像または撮影機器に装着されるアクセサリ機器であって、撮像または撮影機器に予め設けられている一つの電気的接点にそれぞれが接触できるように配置された複数の接続部材と、前記複数の接続部材に装着されて、前記複数の接続部材間を電気的に導通させる導電性の弾性部材と、を備え、前記導電性の弾性部材の弾性範囲内で、前記複数の接続部材のそれぞれが前記電気的接点に対して独立して接近および離間できることを特徴とする。
【００１３】
本発明のアクセサリ機器は、前記複数の接続部材の内の少なくとも一つの接続部材に、前記複数の接続部材間を電気的に導通させる凸部を備え、前記複数の接続部材が前記凸部において互いに接触し、前記凸部以外の箇所において互いに離れていてもよい。
【００１４】
また、本発明のアクセサリ機器は、前記導電性の弾性部材に係止して、前記電気的接点に向けて前記複数の接続部材を付勢する付勢部材をさらに備えてもよい。この場合、前記複数の接続部材は、前記付勢部材に挿通されていてもよい。
【００１５】
また、本発明のアクセサリ機器は、前記複数の接続部材の内の一つの接続部材のみに、内部回路に電気的に接続する信号伝達媒体が固定されていてもよい。この場合、前記信号伝達媒体が固定される接続部材は、他の接続部材より長くてもよい。
【００１６】
また、本発明のアクセサリ機器は、前記複数の接続部材の組を複数組備え、前記複数の接続部材の各組が、撮像または撮影機器に予め設けられている複数の電気的接点にそれぞれ対応して設けられて、各組の前記複数の接続部材が、対応する電気的接点にそれぞれ接触できるように配置されていてもよい。
【発明の効果】
【００１７】
本発明によれば、撮像または撮影機器の電気的接点に接触する接続端子を、その電気的接点にそれぞれ接触することができ、かつ、互いに独立して動作可能な複数の接続部材で構成することができるので、撮像または撮影機器にアクセサリ機器を装着する際に、アクセサリ機器の接続端子を構成する複数の接続部材のいずれかと、撮像または撮影機器の電気的接点との間に、ゴミ等の異物が挟まった場合に、接続部材のいずれかを撮像または撮影機器の電気的接点に接触させることができる。よって、撮像または撮影機器にアクセサリ機器を装着する際に、撮像または撮影機器の電気的接点やアクセサリ機器の接続端子にゴミ等の異物が付着していても、撮像または撮影機器の電気的接点とアクセサリ機器の接続端子との間に電気的な接触不良（導通不良）が起こり難くなり、撮像または撮影機器とアクセサリ機器との間の電気的導通の信頼性を向上させることができる。
【図面の簡単な説明】
【００１８】
【図１】本発明の実施の形態に係るアクセサリ機器の概略構成を示す外観斜視図
【図２】本発明の実施の形態に係るアクセサリ機器のシューの分解斜視図
【図３】本発明の実施の形態に係るアクセサリ機器の底面図
【図４】本発明の実施の形態に係るアクセサリ機器の一部拡大断面図
【図５】本発明の実施の形態に係るアクセサリ機器の一部拡大断面図
【図６】従来のストロボ装置におけるシューの構造を示す図
【図７】従来のアクセサリ機器における接続端子の接触不良を示す図
【発明を実施するための形態】
【００１９】
以下、本発明の実施の形態について、図面を参照しながら説明する。但し、同じ構成要素には同じ符号を付与することによって重複する説明を省略する。また、図面は、理解し易くするために、それぞれの構成要素を模式的に図示している。なお、以下の実施の形態で示す各構成要素の形状や寸法、数、数値等は一例であって特に限定されるものではなく、本発明の効果から実質的に逸脱しない範囲で種々の変更が可能である。
【００２０】
図１は本発明の実施の形態に係るアクセサリ機器の概略構成を示す外観斜視図であり、詳しくは、撮像または撮影機器にアクセサリ機器を装着するためのシュー側から見たアクセサリ機器を示している。
【００２１】
この実施の形態に係るアクセサリ機器は、撮像または撮影機器の一例であるカメラに着脱自在に装着されるストロボ装置１である。但し、アクセサリ機器は、ストロボ装置に限定されるものではなく、撮像または撮影機器に装着されて、撮像または撮影機器との間で電気信号の伝達を行うものであればよく、例えば電子ビューファインダーやＧＰＳユニット等であってもよい。
【００２２】
図１に示すように、この実施の形態に係るストロボ装置１は、例えばキセノン放電管を用いた光源が収納されている発光部２と、回路部（内部回路）や電源が収納されている本体部３と、本体部３の底部となる基台４に備え付けられたシュー５と、を備え、シュー５をカメラに装着して使用される。
【００２３】
図２は本発明の実施の形態に係るアクセサリ機器のシューの分解斜視図であり、基台４に備え付けられるシュー５の主要部品を示している。図２に示すように、シュー５は、横カムレバー体６と、複数本の接続端子７と、スライド機構部品８と、防滴用のパッキン体９と、固定部１０と、可動部１１と、結合板１２を備える。
【００２４】
基台４には、本体部３の底面に基台４をネジ止めするためのネジ穴４ａや、複数本の接続端子７のそれぞれの基端部７ａが挿入される挿入穴部４ｂ、固定部１０を基台４にネジ止めするためのネジ穴４ｃ、横カムレバー体６の外周面が嵌合する取付凹部４ｄが形成されている。
【００２５】
横カムレバー体６は円環形状をしており、その横カムレバー体６の円環部の外周面を基台４の取付凹部４ｄの内周面に嵌合させることにより、基台４に横カムレバー体６を組み付けることができる。また、横カムレバー体６の円環部の外周面にはレバー部６ａが設けられており、横カムレバー体６の円環部の内周面にはカム部６ｂが形成されている。
【００２６】
複数本（この実施の形態では５本）の接続端子７は、結束体１３に固定されており、それら接続端子７のそれぞれの基端部７ａが、スライド機構部品８の基台４側の面から突出し、かつ、それぞれの先端部（接触部）７ｂが、スライド機構部品８の結合板１２側の面から突出する。したがって、スライド機構部品８から突出する複数本の接続端子７のそれぞれの基端部７ａが、基台４の挿入穴部４ｂから突出する。なお、図２に示すように、スライド機構部品８の結合板１２側の面に、複数本の接続端子７にそれぞれ対応する開口部８ａを設けて、それらの開口部８ａから複数本の接続端子７の先端部７ｂをそれぞれ挿通してもよい。
【００２７】
スライド機構部品８は、図示しないカメラのアクセサリシューに、ストロボ装置１のシュー５がスライド嵌合する際に、そのシュー５がスライド嵌合する方向において、接続端子７の先端部（電気的接点）７ｂをスライドさせて、接続端子７の先端部７ｂの位置を、図示しないカメラのアクセサリシューの電気的接点の位置に規制する部材である。
【００２８】
防滴用のパッキン体９は、基台４とスライド機構部品８との間に挟まれる。このパッキン体９には挿入穴部９ａが形成されており、複数本の接続端子７のそれぞれの基端部７ａは、その挿入穴部９ａから突出する。
【００２９】
固定部１０には、横カムレバー体６の円環部の内周面が嵌合する円盤部１０ａが形成されている。したがって、横カムレバー体６の円環部の内周面を、固定部１０の円盤部１０ａの外周面に嵌合させることにより、固定部１０に横カムレバー体６を組み付けることができる。また、固定部１０には、その円盤部１０ａから結合板１２へ向けて突出する略直方体のガイド箱体部１０ｂが形成されており、そのガイド箱体部１０ｂの内部に、スライド機構部品８の一部が収納される。このガイド箱体部１０ｂの底面には開口部１０ｃが形成されており、複数本の接続端子７のそれぞれの先端部７ｂは、その開口部１０ｃから突出する。
【００３０】
さらに、固定部１０の円盤部１０ａには、段付きネジ１４が挿通される挿通穴部１０ｄが形成されている。その挿通穴部１０ｄに挿通された段付きネジ１４の鍔部１４ａと固定部１０の円盤部１０ａとの間には、図示しない付勢ばねが固定される。
【００３１】
可動部１１の中央には、固定部１０のガイド箱体部１０ｂが挿入される平面視長方形の挿入穴部１１ａが形成されている。また、可動部１１には、段付きネジ１４の螺着部１４ｂが螺着されるネジ穴（図示せず）が形成されており、固定部１０の挿通穴部１０ｄに挿通された段付きネジ１４は、固定部１０のガイド箱体部１０ｂが可動部１１の挿入穴部１１ａに、そこから突出するように嵌合した状態で、可動部１１に螺着される。これにより、可動部１１は、段付きネジ１４の鍔部１４ａと固定部１０の円盤部１０ａとの間に配置された図示しない付勢ばねが伸縮できる範囲で動作できる。
【００３２】
さらに、可動部１１の円形状の外周部には、横カムレバー体６側へ突出して、横カムレバー体６のカム部６ｂに当接する当接部１１ｂが複数形成されている。横カムレバー体６のカム部６ｂは、横カムレバー体６が所定の方向へ回転するのに応じて当接部１１ｂを押して、可動部１１を結合板１２側へ移動させるように構成されている。
【００３３】
結合板１２には、固定部１０のガイド箱体部１０ｂの底面に結合板１２をネジ止めするためのネジ穴１２ａが形成されており、結合板１２は、可動部１１の挿入穴部１１ａから突出する固定部１０のガイド箱体部１０ｂの底面にネジ止めされる。また、結合板１２には、固定部１０のガイド箱体部１０ｂから突出する複数本の接続端子７のそれぞれの先端部７ｂが挿入される挿入穴部１２ｂが形成されている。
【００３４】
続いて、この実施の形態に係るストロボ装置１のシュー５の動作について説明する。このストロボ装置１のシュー５は、横カムレバー体６のレバー部６ａがロック解除位置にあるとき、可動部１１と結合板１２との間に、図示しないカメラのアクセサリシューに設けられた結合部材を挿入可能な隙間を形成する。カメラの使用者が横カムレバー体６のレバー部６ａをロック解除位置からロック位置へ回転させて、横カムレバー体６を回転させると、この横カムレバー体６の回転に応じて、横カムレバー体６のカム部６ｂが可動部１１の当接部１１ｂを押すことにより、段付きネジ１４の鍔部１４ａと固定部１０の円盤部１０ａとの間に配置された図示しない付勢ばねの付勢力に抗して、可動部１１が結合板１２へ向かって移動する。これにより、可動部１１と結合板１２との間に挿入された図示しないカメラの結合部材を、可動部１１と結合板１２によって挟持することができる。カメラの使用者が横カムレバー体６のレバー部６ａをロック位置からロック解除位置へ回転させて、レバー部６ａがロック解除位置からロック位置へ回転した時とは逆の方向へ横カムレバー体６を回転させると、段付きネジ１４の鍔部１４ａと固定部１０の円盤部１０ａとの間に固定されている付勢ばねの付勢力によって、可動部１１が固定部１０側へ移動する。これにより、可動部１１と結合板１２との間の隙間が拡大するので、ストロボ装置１のシュー５を図示しないカメラの結合部材から容易に取り外すことが可能となる。
【００３５】
続いて、この実施の形態に係るストロボ装置１のシュー５に備え付けられた接続端子７について、詳細に説明する。図３は本発明の実施の形態に係るアクセサリ機器の底面図である。
【００３６】
図３に示すように、シュー５の結合板１２から５本の接続端子７−１〜７−５のそれぞれの先端部（接触部）が突出している。これらの接続端子７−１〜７−５のそれぞれの先端部は、それぞれがストロボ装置１の電気的接点であり、これらの接続端子７−１〜７−５のそれぞれの先端部が図示しないカメラのアクセサリシューに設けられた電気的接点と接触（当接）することにより、ストロボ装置１とカメラとの間での電気信号の伝達を実現することができ、この電気信号の伝達により、シンクロ発光や、カメラによる放電管の充電完了の確認等を実現することができる。なお、この実施の形態では接続端子７が５本の場合を例示しているが、無論、接続端子７の本数は限定されるものではない。
【００３７】
図４は図３のＡ−Ａ線に沿ったシュー５の切断面の一部を、５本の接続端子７−１〜７−５のうちの１本の接続端子７−１を中心に、拡大して示している。図５は図３のＢ−Ｂ線に沿ったシュー５の切断面の一部を、図４と同じく接続端子７−１を中心に、拡大して示している。
【００３８】
図４および図５に示すように、この実施の形態では、接続端子７−１が、長さが異なる２本の接続部材１５−１、１５−２から構成されている。この接続部材１５−１、１５−２は、接続端子７−１に対応するカメラの電気的接点にそれぞれが接触できるように配置されている。
【００３９】
この２本の接続部材１５−１、１５−２の材質には、一般的なストロボ装置の接続端子の材質と同じものを用いることができる。また、この２本の接続部材１５−１、１５−２からなる接続端子７−１の先端部を平面視したときの縦幅Ｘおよび横幅Ｙは、一般的なストロボ装置の接続端子の縦幅および横幅に等しくするのが好適であり、例えば縦幅Ｘ＝１．７ｍｍ、横幅Ｙ＝１．３ｍｍとする。このようにすれば、既存のカメラのアクセサリシューに対応できるシュー５を実現できる。
【００４０】
また、この実施の形態では、図５に示すように、図示しないカメラのアクセサリシューに設けられた結合部材を可動部１１と結合板１２との間の隙間にスライド嵌合する方向に直交する方向に、２本の接続部材１５−１、１５−２を並べて配置しているが、図示しないカメラの結合部材を可動部１１と結合板１２との間の隙間にスライド嵌合する方向に沿って、２本の接続部材１５−１、１５−２を並べて配置してもよい。
【００４１】
また、この実施の形態では、一方の接続部材１５−２の長さが、他方の接続部材１５−１の長さよりも短く、一方の接続部材１５−２の基端部１５−２ａはスライド機構部品８から突出しておらず、他方の接続部材１５−１の基端部１５−１ａのみが基台４の挿入穴部４ｂから突出している。したがって、複数本の接続部材１５−１、１５−２の内の１本の接続部材１５−１のみに、ストロボ装置１の本体部３に収納されている回路部（内部回路）に電気的に接続する図示しないリード線（信号伝達媒体の一例）が、例えばはんだ付け等によって固定される。このように、回路部（内部回路）に電気的に接続するリード線が固定される接続部材１５−１のみを、他の接続部材１５−２よりも長くすれば、リード線と接続端子７−１との固定（例えば、はんだ付け）を、狭いスペースにおいて実現することができる。
【００４２】
接続部材１５−１、１５−２は、接続部材１５−１、１５−２間を電気的に導通させる導電性の弾性ゴム（導電性の弾性部材の一例）１６に固定されている。これにより、接続部材１５−１、１５−２は、その導電性の弾性ゴム１６の弾性範囲内で、図示しないカメラの電気的接点に対してそれぞれ独立して接近および離間することができる。導電性の弾性ゴム１６には、例えば、シリコーンゴムに、導電性充填材（導体）としてカーボンブラックを混入させたものを用いることができる。また、導電性の弾性ゴム１６の硬度は、例えば６０度であってもよく、導電性の弾性ゴム１６の単位面積抵抗は、例えば１００Ω以下であってもよい。
【００４３】
さらに、一方の接続部材１５−２には、接続部材１５−１、１５−２間を電気的に導通させる凸部１７が形成されおり、接続部材１５−１、１５−２は凸部１７において互いに接触し、凸部１７以外の箇所において互いに離れている。この凸部１７の高さは例えば０．１ｍｍとすることができる。
【００４４】
このように凸部１７において接続部材１５−１、１５−２を接触させることにより、接続部材１５−１、１５−２同士を点接触させて、接続部材１５−１、１５−２同士の貼り付きを防止することができる。接続部材１５−１、１５−２同士を面接触させた場合、接続部材１５−１、１５−２同士が貼り付きやすくなる。接続部材１５−１、１５−２同士が貼り付くと、接続部材１５−１、１５−２は、図示しないカメラの電気的接点に対してそれぞれ独立して接近および離間できなくなる。したがって、接続部材１５−１と接続部材１５−２を点接触させることにより、接続部材１５−１、１５−２の動作不良が起こり難くなる。
【００４５】
また、この実施の形態では、凸部１７が２箇所に設けられている。このように複数箇所に凸部１７を設けることにより、２本の接続部材１５−１、１５−２間の平行性を保つことができる。この実施の形態では、一方の接続部材１５−２の長さが、他方の接続部材１５−１の長さよりも短いので、その短い方の接続部材１５−２の両端近辺に凸部１７を設けるのが、２本の接続部材１５−１、１５−２間の平行性を保つ上で効果的である。
【００４６】
なお、この実施の形態では一方の接続部材１５−２に凸部１７を設けたが、無論、他方の接続部材１５−１に凸部１７を設けてもよいし、両方の接続部材１５−１、１５−２に凸部１７を設けてもよい。また、図４および図５には２つの凸部１７を設ける場合を例示しているが、凸部１７の数は、接続部材１５−１、１５−２同士の貼り付きを防止できる限り、特に限定されるものではない。
【００４７】
導電性の弾性ゴム１６には、図示しないカメラの電気的接点に向けて接続部材１５−１、１５−２を付勢する端子ばね（付勢部材の一例）１８の一端が係止されている。この端子ばね１８によって、接続部材１５−１、１５−２は常に図示しないカメラの電気的接点に向けて付勢される。端子ばね１８の他端は、５本の接続端子７−１〜７−５を結束する結束体１３に係止されている。なお、この実施の形態では、一つの端子ばね１８を用いて、接続部材１５−１、１５−２からなる接続端子７−１を、その一つの端子ばね１８に挿通させている。
【００４８】
以上説明した実施の形態によれば、撮像または撮影機器の一例である図示しないカメラの電気的接点に接触する接続端子７−１を、その電気的接点にそれぞれ接触することができ、かつ、互いに独立して動作可能な複数本（この実施の形態では２本）の接続部材１５−１、１５−２で構成することができるので、アクセサリ機器の一例であるストロボ装置１をカメラに装着する際に、ストロボ装置１の接続端子７−１を構成する複数の接続部材１５−１、１５−２のいずれかとカメラの電気的接点との間にゴミ等の異物が挟まった場合に、接続部材１５−１、１５−２のいずれかをカメラの電気的接点に接触させることができる。例えば、一方の接続部材１５−１とカメラの電気的接点との間にゴミ等の異物が挟まった場合でも、他方の接続部材１５−２をカメラの電気的接点に接触させることができる。よって、ストロボ装置１をカメラに装着する際に、カメラの電気的接点やストロボ装置１の接続端子７−１にゴミ等の異物が付着していても、カメラの電気的接点とストロボ装置１の接続端子７−１との間に電気的な接触不良（導通不良）が起こり難くなり、カメラとストロボ装置１との間の電気的導通の信頼性を向上させることができる。
【００４９】
なお、この実施の形態では、凸部１７により接続部材１５−１、１５−２同士を点接触させる場合について説明したが、接続部材１５−１、１５−２の互いに対向する面を鏡面仕上げにして、その接続部材１５−１、１５−２の鏡面仕上げされた面同士を面接触させてもよい。接続部材１５−１、１５−２の互いに対向する面を鏡面仕上げにすれば、接続部材１５−１、１５−２同士を面接触させても、接続部材１５−１、１５−２同士の貼り付きは起こり難くなる。
【００５０】
また、この実施の形態では、接続端子７−１が２本の接続部材１５−１、１５−２からなる場合について説明したが、無論、接続端子７−１を構成する接続部材の数は、２本以上であればよい。
【００５１】
また、この実施の形態では、５本の接続端子７−１〜７−５のうちの１本の接続端子７−１のみが、複数本の接続部材１５−１、１５−２で構成される場合について説明したが、他の接続端子７−２〜７−５についても、接続端子７−１と同様に複数本の接続部材で構成してもよい。この場合、シュー５には、複数本の接続部材の組が複数組備え付けられ、その複数本の接続部材の各組が、撮像または撮影機器の一例であるカメラに予め設けられている複数の電気的接点にそれぞれ対応して設けられて、各組の複数本の接続部材が、対応する電気的接点にそれぞれ接触できるように配置される。
【産業上の利用可能性】
【００５２】
本発明にかかるアクセサリ機器は、カメラ等の撮像または撮影機器とストロボ装置等のアクセサリ機器との間の電気的導通の信頼性を向上させることができ、カメラ等の撮像または撮影機器と電気的に接続する機器や、カメラ等の撮像または撮影機器からの制御信号によって動作する機器に有用である。
【符号の説明】
【００５３】
１      ストロボ装置
２      発光部
３      本体部
４      基台
４ａ    ネジ穴
４ｂ    挿入穴部
４ｃ    ネジ穴
４ｄ    取付凹部
５      シュー
６      横カムレバー体
６ａ    レバー部
６ｂ    カム部
７、７−１〜７−５      接続端子
７ａ    基端部
７ｂ    先端部
８      スライド機構部品
８ａ    開口部
９      パッキン体
９ａ    挿入穴部
１０      固定部
１０ａ    円盤部
１０ｂ    ガイド箱体部
１０ｃ    開口部
１０ｄ    挿通穴部
１１      可動部
１１ａ    挿通穴部
１１ｂ    当接部
１２      結合板
１２ａ    ネジ穴
１２ｂ    挿入孔部
１３      結束体
１４      段付きネジ
１４ａ    鍔部
１４ｂ    螺着部
１５−１、１５−２    接続部材
１５−１ａ、１５−２ａ    基端部
１５−１ｂ、１５−２ｂ    先端部
１６      導電性の弾性ゴム
１７      凸部
１８      端子ばね
６１      シュー
６２      接続端子
６２ａ    先端部
６３      端子ばね
６４      シュー金具
６５      アクセサリシュー
６６      電気的接点
６７      固定リング
６７ａ    横カム部
６８      付勢ピン
６９      付勢ばね
７１      アクセサリシュー
７２      電気的接点
７３      接続端子
７４      異物
【図１】
2014115351.tif 000003
【図２】
2014115351.tif 000004
【図３】
2014115351.tif 000005
【図４】
2014115351.tif 000006
【図５】
2014115351.tif 000007
【図６】
2014115351.tif 000008
【図７】
2014115351.tif 000009